(57)【特許請求の範囲】
【請求項１】
第１装置と、該第１装置にて制御可能に接続された表示部を有する第２装置とを含んでおり、少なくとも前記第２装置が、通常状態及び給電の部分的制限が行なわれる省電力状態を有する表示システムにおいて、
前記第２装置は、
前記表示部の制御主管を自装置又は前記第１装置に切り替える接続先切替部と、
前記表示部に電力供給を行なう供給源を自装置の電源又は前記第１装置の電源に切り替える電源切替部とを備え、
前記省電力状態の間、前記表示部の制御主管を前記第１装置にし、前記表示部の電力供給の供給源を前記第１装置の電源に切り替えるように構成されていることを特徴とする表示システム。
【請求項２】
前記第２装置は、自装置が有する機能の実行に係る機能実行部を備え、
前記第１装置は、前記第２装置に省電力状態への遷移指示を行なう遷移指示部を備えており、
前記第２装置は、前記遷移指示を受け付けた場合、前記機能実行部が省電力状態に遷移し、前記電源切替部が前記供給源を前記第１装置の電源に切り替えるように構成されていることを特徴とする請求項１に記載の表示システム。
【請求項３】
前記第１装置は、
前記省電力状態を有しており、
前記第２装置に省電力状態への遷移指示を行なった後、省電力状態へ遷移し、
前記第２装置は、
前記第１装置が省電力状態である間、前記表示部の制御主管を前記第１装置にすることを特徴とする請求項２に記載の表示システム。
【請求項４】
前記表示部は、
外部から指示を受け付ける指示受付手段を備えており、
前記第１装置は、
前記指示受付手段が所定の指示を受け付けた場合、省電力状態から通常状態に復帰するように構成されていることを特徴とする請求項３に記載の表示システム。
【請求項５】
前記第１装置は、
省電力状態から通常状態に復帰した場合、前記第２装置に省電力状態からの通常状態への復帰を指示する復帰指示手段を備え、
前記第２装置は、
省電力状態から通常状態に復帰した場合、前記電源切替部が前記供給源を自装置の電源に切り替えるように構成されていることを特徴とする請求項４に記載の表示システム。
【請求項６】
通常状態及び給電の部分的制限が行なわれる省電力状態を有しており、外部装置に接続され、表示部を有する電気装置において、
前記表示部の制御主管を自装置又は前記外部装置に切り替える接続先切替部と、
前記表示部に電力供給を行なう供給源を自装置の電源又は前記外部装置の電源に切り替える電源切替部とを備え、
前記省電力状態の間、前記表示部の制御主管を前記外部装置にし、前記表示部の電力供給の供給源を前記外部装置の電源に切り替えるように構成されていることを特徴とする電気装置。
【請求項７】
自装置が有する機能の実行に係る機能実行部を備え、
前記機能実行部が省電力状態に遷移した場合、前記電源切替部が前記供給源を前記外部装置の電源に切り替えるように構成されていることを特徴とする請求項６に記載の電気装置。
【請求項８】
前記外部装置が省電力状態である間、前記表示部の制御主管を前記外部装置にすることを特徴とする請求項６又は７に記載の電気装置。
【請求項９】
省電力状態から通常状態に復帰した場合、前記電源切替部が前記供給源を自装置の電源に切り替えるように構成されていることを特徴とする請求項７に記載の電気装置。
【請求項１０】
請求項６から９の何れかに記載の電気装置と、
前記表示部に表示された画像をシート上に形成する画像形成手段と
を備えることを特徴とする画像形成装置。
【発明の詳細な説明】
【技術分野】
【０００１】
本発明は、第１装置と、該第１装置に接続され、表示部を有する第２装置とを含む表示システムと、該表示システムを構成する電気装置と、該電気装置を有する画像形成装置に関する。
【背景技術】
【０００２】
従来、複合機を含む複数の装置とこれら装置を制御する制御装置とからなるシステムが開発されている。
【０００３】
例えば、特許文献１においては、ネットワークを介して接続されたＭＦＰ（多機能複写機）及び外部機器から構成されており、前記外部機器が、ＭＦＰから送信されるＷＯＬ（Ｗａｋｅ Ｏｎ ＬＡＮ）パケットの受信により起動され、ＰＩＮＧコマンドをＭＦＰに送信して応答が無い場合にはＭＦＰが稼働停止状態であると判断して、前記外部機器をシャットダウンする画像形成システムが開示されている。
【０００４】
また、特許文献２においては、画像形成装置が各種状況を外部に報知するための操作部を備え、周辺装置が前記画像形成装置の通電が切断されたことを検知する通電切断検知手段と、該通電切断検知手段による検知結果を前記画像形成装置へ通知する通知手段とを備えており、前記操作部は、前記通知手段による通知を前記画像形成装置への通電が再開された際に報知する画像形成システムが開示されている。
【０００５】
しかし、このような画像形成システムにおいては、夫々の構成装置が表示部又は操作パネルを備え、互いに独立した作動を行なっていた。例えば、前記画像形成システムの夫々の構成装置が一つの場所に集結しているような場合には、一つのシステムに複数の表示部及び操作パネルを有することとなり、むしろユーザにとってはどの操作パネルを操作すべきか迷わせることとなるうえに、資源の浪費にもなる。
【０００６】
このような問題に対して、特許文献３においては、既に完成された表示部と一方の制御部とには一切変更を加えることなく、もう一方の制御部に僅かな変更と、表示切替装置の追加とを行うことで、２つの制御部で１つの表示部を共有することが可能な表示切替プログラム、装置および方法が開示されている。
【先行技術文献】
【特許文献】
【０００７】
【特許文献１】特開２００６−４１７３９号公報
【特許文献２】特開２００８−１１４５０５号公報
【特許文献３】特開２００６−２４３２６５号公報
【発明の概要】
【発明が解決しようとする課題】
【０００８】
一方、上述したようなシステムにおいても、消費電力の低減について考慮すべきであり、特に、特許文献３に係る発明のように、複数の装置によって表示部が共有されている場合には、更なる工夫が必要である。
【０００９】
しかしながら、特許文献３においては、このような問題に対して工夫されておらず、特許文献１及び２に係る画像形成システムであっても、このような問題を解決することは出来ない。
【００１０】
本発明は、斯かる事情に鑑みてなされたものであり、その目的とするところは、自装置の有する表示部の制御主管を自装置又は他装置に切り替える接続先切替部と、前記表示部に電力供給を行なう供給源を自装置の電源又は他装置の電源に切り替える電源切替部とを備え、自装置が省電力状態の間、前記表示部を他装置と接続することにより、表示部を有する装置側は省電力状態を維持しつつ、表示部を有しない装置側では該表示部を用いることが出来る表示システム、電気装置及び画像形成装置を提供することにある。
【課題を解決するための手段】
【００１１】
本発明に係る表示システムは、第１装置と、該第１装置にて制御可能に接続された表示部を有する第２装置とを含んでおり、少なくとも前記第２装置が、通常状態及び給電の部分的制限が行なわれる省電力状態を有する表示システムにおいて、前記第２装置は、前記表示部の制御主管を自装置又は前記第１装置に切り替える接続先切替部と、前記表示部に電力供給を行なう供給源を自装置の電源又は前記第１装置の電源に切り替える電源切替部とを備え、前記省電力状態の間、前記表示部の制御主管を前記第１装置にし、前記表示部の電力供給の供給源を前記第１装置の電源に切り替えるように構成されていることを特徴とする。
【００１２】
本発明にあっては、前記第２装置が省電力状態である間、前記接続先切替部が前記表示部の制御主管を前記第１装置にし、前記電源切替部が前記表示部の電力供給の供給源を前記第１装置の電源に切り替え、該第１装置によって前記表示部が用いられる。
【００１３】
本発明に係る表示システムは、前記第２装置は、自装置が有する機能の実行に係る機能実行部を備え、前記第１装置は、前記第２装置に省電力状態への遷移指示を行なう遷移指示部を備えており、前記第２装置は、前記遷移指示を受け付けた場合、前記機能実行部が省電力状態に遷移し、前記電源切替部が前記供給源を前記第１装置の電源に切り替えるように構成されていることを特徴とする。
【００１４】
本発明にあっては、前記遷移指示部から前記遷移指示を受け付けた場合、前記第２装置において、前記機能実行部が省電力状態に遷移し、前記電源切替部が前記供給源を前記第１装置の電源に切り替える。従って、前記表示部は前記第１装置の電源にて駆動される。
【００１５】
本発明に係る表示システムは、前記第１装置は、前記省電力状態を有しており、前記第２装置に省電力状態への遷移指示を行なった後、省電力状態へ遷移し、前記第２装置は、前記第１装置が省電力状態である間、前記表示部の制御主管を前記第１装置にすることを特徴とする。
【００１６】
本発明にあっては、省電力状態への遷移指示を行なった後、前記第１装置が自ら省電力状態へ遷移した場合、前記第１装置が省電力状態である間、前記第２装置の接続先切替部が前記表示部の制御主管を前記第１装置にする。
【００１７】
本発明に係る表示システムは、前記表示部は、外部から指示を受け付ける指示受付手段を備えており、前記第１装置は、前記指示受付手段が所定の指示を受け付けた場合、省電力状態から通常状態に復帰するように構成されていることを特徴とする。
【００１８】
本発明にあっては、前記第１装置が省電力状態である場合であって、前記第２装置の接続切替部が前記表示部を前記第１装置に接続している場合、前記指示受付手段が所定の指示を受け付けたとき、前記第１装置は省電力状態から通常状態に復帰する。
【００１９】
本発明に係る表示システムは、前記第１装置は、省電力状態から通常状態に復帰した場合、前記第２装置に省電力状態からの通常状態への復帰を指示する復帰指示手段を備え、前記第２装置は、省電力状態から通常状態に復帰した場合、前記電源切替部が前記供給源を自装置の電源に切り替えるように構成されていることを特徴とする。
【００２０】
本発明にあっては、前記第１装置が省電力状態から通常状態に復帰した場合、前記復帰指示手段が前記第２装置に省電力状態から通常状態に復帰するよう指示し、該指示に応じて前記第２装置が省電力状態から通常状態に復帰した場合、前記電源切替部が前記供給源を自装置の電源に切り替える。
【００２３】
本発明に係る電気装置は、通常状態及び給電の部分的制限が行なわれる省電力状態を有しており、外部装置に接続され、表示部を有する電気装置において、前記表示部の制御主管を自装置又は前記外部装置に切り替える接続先切替部と、前記表示部に電力供給を行なう供給源を自装置の電源又は前記外部装置の電源に切り替える電源切替部とを備え、前記省電力状態の間、前記表示部の制御主管を前記外部装置にし、前記表示部の電力供給の供給源を前記外部装置の電源に切り替えるように構成されていることを特徴とする。
【００２４】
本発明にあっては、前記電気装置が省電力状態の間、前記接続先切替部が前記表示部の制御主管を前記外部装置にし、前記電源切替部が前記表示部の電力供給の供給源を前記第１装置の電源に切り替え、該外部装置によって前記表示部が用いられる。
【００２５】
本発明に係る電気装置は、自装置が有する機能の実行に係る機能実行部を備え、前記機能実行部が省電力状態に遷移した場合、前記電源切替部が前記供給源を前記外部装置の電源に切り替えるように構成されていることを特徴とする。
【００２６】
本発明にあっては、前記機能実行部が省電力状態に遷移した場合、前記電源切替部が前記供給源を前記外部装置の電源に切り替える。従って、前記表示部は前記外部装置の電源にて駆動される。
【００２７】
本発明に係る電気装置は、前記外部装置が省電力状態である間、前記表示部の制御主管を前記外部装置にすることを特徴とする。
【００２８】
本発明にあっては、前記外部装置が省電力状態である間においても、前記接続先切替部が前記表示部の制御主管を該外部装置にする。
【００２９】
本発明に係る電気装置は、省電力状態から通常状態に復帰した場合、前記電源切替部が前記供給源を自装置の電源に切り替えるように構成されていることを特徴とする。
【００３０】
本発明にあっては、省電力状態から通常状態に復帰した場合、前記電源切替部が前記供給源を前記外部装置の電源から自装置の電源に切り替える。従って、前記表示部は自装置の電源にて駆動される。
【００３３】
本発明に係る画像形成装置は、前述の発明の何れか一つに記載の電気装置と、前記表示部に表示された画像をシート上に形成する画像形成手段とを備えることを特徴とする。
【００３４】
本発明にあっては、前記電気装置の表示部に表示された画像が、前記画像形成手段によって、例えば、記録用紙のようなシート上に形成される。
【発明の効果】
【００３５】
本発明によれば、表示部を有する自装置側が省電力状態の間、前記表示部を他装置側と接続するので、自装置は省電力状態を維持しつつ、他装置側では表示部を用いることが出来る。
【００３６】
本発明によれば、自装置が省電力状態であっても、該自装置の表示部が他装置によって用いられる状態であるので、自装置が省電力状態に遷移した場合、外見から使用不可の状態であるとしてユーザに誤認されることを防ぐことが出来る。
【図面の簡単な説明】
【００３７】
【図１】本発明の実施の形態１に係る表示システムの構成の一例を示す機能ブロック図である。
【図２】本発明の実施の形態１に係る表示システムにおける、省電力モードへの遷移を説明するフローチャートである。
【図３】本発明の実施の形態１に係る表示システムにおける、待機モードへの復帰を説明するフローチャートである。
【図４】本発明の実施の形態２に係る表示システムにおける、省電力モードへの遷移を説明するフローチャートである。
【図５】本発明の実施の形態２に係る表示システムにおける、待機モードへの復帰を説明するフローチャートである。
【発明を実施するための形態】
【００３８】
以下に、本発明の実施の形態に係る画像形成装置及び電気装置を、いわゆるタッチパネルの機能を有する複合機と、接続された複数の装置を総括制御する制御装置とに夫々適用して、本発明に係る表示システムを図面に基づいて詳述する。
【００３９】
本発明の実施の形態の複合機は、省電力モード（省電力状態）と、待機モード（通常状態）とを有している。省電力モードでは、複合機の一部への給電を制限して消費電力を減らす。また、待機モードでは給電が制限されていた部分に給電が行われ、ユーザからの指示を受け付け、何れのジョブが即時に実行可能である。
【００４０】
図１は本発明の実施の形態１に係る表示システムの構成の一例を示す機能ブロック図である。図１に示すように、実施の形態１に係る表示システム１は、制御装置２００と、複合機１００を含んでおり、制御装置２００には複合機１００の他、例えば、課金装置（図示せず）が専用線にて接続されている。
【００４１】
複合機１００は、表示パネル１３０と、切替部１２０と、制御部１１０と、内部電源１４０と、画像読取部１５０と、画像形成部１６０と、記憶部１７０とを備えている。
【００４２】
表示パネル１３０は、液晶部１３３と、タッチパネル部１３２と、ハードキー１３１とを更に有している。
【００４３】
液晶部１３３は、ＬＣＤパネル等からなり、ユーザからジョブの実行に係る指示を受け付ける初期画面、画像形成部１６０を介して所定の記録用紙へ出力（形成）すべき画像等が表示される。また、液晶部１３３は、複合機１００の状態、ジョブ処理の状況、画像読取部１５０が読み取った原稿の画像及びタッチパネル部１３２又はハードキー１３１の操作内容の確認等、利用者に対して報知すべき情報を表示する。また、液晶部１３３の表示画面は後述するタッチパネルによって覆われている。
【００４４】
タッチパネル部１３２は、タッチパネルを有しており、該タッチパネルを介してユーザからの指示を受け付けることができる。タッチパネル部１３２はユーザによる前記タッチパネルのタッチ操作の際、液晶部１３３の表示画面上における所定位置を検出することができる。すなわち、タッチパネル部１３２はユーザの指先のタッチ操作による圧力の変化を検知し、又は静電気による電気信号を検知して、ユーザの指先の接触位置に対応する液晶部１３３の表示画面上の座標を検出し、該座標を特定する信号を発生する。該信号は制御部１１０又は制御装置２００に送られる。例えば、制御部１１０は該信号に基づき、何れかのソフトキーを特定し、当該ソフトキーに係る指示を受け付けたものと認識する。
【００４５】
ハードキー１３１には、例えば、前記省電力モードから待機モードに復帰する指示を受け付ける「復帰」キーが含まれる。該「復帰」キーにはＬＥＤが内装されており、ユーザが「復帰」キーを操作した場合、省電力モードから待機モードへの復帰が開始される。
【００４６】
切替部１２０は、専用Ｉ／Ｆアダプタ１２１と、接続先切替部１２２と、電源切替部１２３とを更に有している。
【００４７】
専用Ｉ／Ｆアダプタ１２１は、後述する制御装置２００の専用Ｉ／Ｆアダプタ２０４と専用信号線Ａを用いて接続されている。従って、特定の条件の下、制御装置２００が複合機１００の表示パネル１３０を制御することができる。また、専用信号線Ａには、制御装置２００の後述する電源２０５から複合機１００の切替部１２０に対し、表示パネル１３０に電源を供給するための信号線が含まれている。
【００４８】
接続先切替部１２２は、表示パネル１３０の接続先を切り替えることにより、表示パネル１３０の制御主管を自装置（制御部１１０）と制御装置２００とのどちらかに切り替える。本発明に係る表示システム１においては、制御装置２００が優先的に表示パネル１３０を制御するように構成されている。一方、制御装置２００が電源オフされているような場合は、接続先切替部１２２が制御部１１０を表示パネル１３０と接続し、自装置（制御部１１０）による制御が行なわれるように構成されている。換言すれば、本発明に係る表示システムにおいては、複合機１００側に配置された表示パネル１３０は、切替部１２０を介して制御装置２００と共有するように構成されている。
【００４９】
電源切替部１２３は、表示パネル１３０及び内部電源１４０の間に介在しており、特定の条件の下、表示パネル１３０に電力の供給を行なう供給源を内部電源１４０又は制御装置２００のどちらかに切り替える。詳しくは、電源切替部１２３には、内部電源１４０と共に、制御装置２００の電源２０５が専用信号線Ａを介して接続されており、これらの何れかを表示パネル１３０と選択的に接続する。例えば、複合機１００が省電力モードに遷移する場合、又は内部電源１４０がオフにされたような場合は、電源切替部１２３は、表示パネル１３０を制御装置２００の電源２０５に接続する。
【００５０】
制御部１１０は、表示制御部１１３と、操作制御部１１２と、システム制御部１１１と、ネットワークＩ／Ｆ１１４とを有している。
【００５１】
表示制御部１１３は、例えば、ＤＳＰ（Digital Signal Processor）のようなプロセッサにより構成され、液晶部１３３への画像表示を制御する。
【００５２】
操作制御部１１２は、タッチパネル部１３２及びハードキー１３１の制御を行なう。詳しくは、ユーザがタッチパネル部１３２又はハードキー１３１を操作することによって、これらから送られる信号に基づいて、所定の指示を受け付ける。ユーザによる操作の際における、タッチパネル部１３２又はハードキー１３１からの信号の送信については、既に説明しており、詳しい説明を省略する。
【００５３】
システム制御部１１１は、ユーザから受け付けた所定のジョブの指示に応じた、画像形成部１６０、画像読取部１５０等によるジョブの実行の制御、並びに省電力モードへの遷移及び省電力モードから待機モードへの復帰における制御等を行なう。
【００５４】
ネットワークＩ／Ｆ１１４は、汎用のＬＡＮケーブルＢを介して、制御装置２００と接続されている。制御部１１０は、ＬＡＮケーブルＢを介して、制御装置２００から省電力モードへの遷移指示及び省電力モードから待機モードへの復帰指示に係る信号を受信し、ＬＡＮケーブルＢを介して、斯かる信号に対する応答信号を送信する。
【００５５】
内部電源１４０は、複合機１００が有する電源であって、切替部１２０に電力を供給する。また、内部電源１４０は電源切替部１２３を介して表示パネル１３０に電力を供給するように構成されている。
【００５６】
記憶部１７０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部１７０には、液晶部１３３に表示すべき画像（例えば、初期画面）に係る画像データ、画像読取部１５０によって読み取られた原稿の画像データ等が記憶されている。
【００５７】
画像読取部１５０は読み取り用の原稿に光を照射する光源、ＣＣＤ（Charge Coupled Device）のようなイメージセンサ等を有し、該原稿の画像データの光学的読み取りを行なう。また、画像読取部１５０は、所定の読取り位置に載置された原稿からの反射光像を当該イメージセンサに結像させ、ＲＧＢ（R : Red, G : Green, B : Blue）のアナログデータを出力する。
【００５８】
画像形成部１６０は、例えば、画像読取部１５０によって読み取られた原稿の画像データに基づく画像を記録用紙、ＯＨＰフィルム等の記録媒体上に印刷する。画像形成部１６０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００５９】
一方、制御装置２００は、制御部２０１、専用Ｉ／Ｆアダプタ２０４、ネットワークＩ／Ｆ２０３、記憶部２０２、電源２０５等を備えている。
【００６０】
制御部２０１は、上述したハードウエアを制御する。また、制御部２０１は、接続されている複合機１００、前記課金装置等に対して、所定の条件の下、省電力モードへの遷移又は該省電力モードから待機モードへの復帰を指示する。
【００６１】
専用Ｉ／Ｆアダプタ２０４は、専用信号線Ａを介して複合機１００の切替部１２０（専用Ｉ／Ｆアダプタ１２１）と接続されている。従って、制御部２０１が、上述したように、複合機１００の表示パネル１３０を制御することができ、また、複合機１００が省電力モードに遷移した場合、又は複合機１００の内部電源１４０がオフにされた場合、制御装置２００の電源２０５からの電力を表示パネル１３０に供給することができる。
【００６２】
ネットワークＩ／Ｆ２０３は、ＬＡＮケーブルＢを介して、複合機１００の制御部１１０（ネットワークＩ／Ｆ１１４）と接続されている。従って、制御部２０１は、上述したように、複合機１００に対して、省電力モードへの遷移指示又は該省電力モードから待機モードへの復帰指示を行なうことができる。
【００６３】
記憶部２０２は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部２０２には、複合機１００の表示パネル１３０の制御に係るデータ、液晶部１３３に表示すべき画像（例えば、初期画面）に係る画像データが記憶されている。
【００６４】
本発明の実施の形態１に係る表示システム１においては、上述したように、制御装置２００は、専用Ｉ／Ｆアダプタ２０４を介し、複合機１００の切替部１２０に配された専用Ｉ／Ｆアダプタ１２１に専用信号線Ａで接続される。
【００６５】
また、制御装置２００は、ネットワークＩ／Ｆ２０３を介し、複合機１００の制御部１１０に配されたネットワークＩ／Ｆ１１４と汎用のＬＡＮケーブルＢで接続されている。
【００６６】
従って、複合機１００が電源オフ又は省電力モードの状態である場合、接続先切替部１２２によって、表示パネル１３０を制御装置２００に接続し、電源切替部１２３によって、制御装置２００の電源２０５からの電力を切替部１２０及び表示パネル１３０に供給するので、表示パネル１３０を制御装置２００が制御することができる。
【００６７】
例えば、制御装置２００内で処理が済むようなジョブを実施する場合、複合機１００の画像読取部１５０、画像形成部１６０の動作を必要としない場合においては、複合機１００の画像読取部１５０、画像形成部１６０、制御部１１０における省電力モードを保つことができる。
【００６８】
さらに、複合機１００が省電力モード又は電源オフの状態である場合、表示パネル１３０の前記タッチパネル又はハードキー１３１がユーザによって押下されると、ユーザの操作による前記タッチパネル又はハードキー１３１からのパルス信号が専用信号線Ａを介して制御装置２００の制御部２０１に入力され、ユーザによる操作を認識することが出来る。
【００６９】
図２は本発明の実施の形態１に係る表示システム１における、省電力モードへの遷移を説明するフローチャートである。上述したように、接続先切替部１２２が表示パネル１３０を制御装置２００に接続しており、制御装置２００が優先的に表示パネル１３０を制御しているものとする。
【００７０】
制御装置２００の制御部２０１は、タッチパネル部１３２又はハードキー１３１からの信号に基づき、所定の時間ジョブを受け付けていないと判定した場合、省電力モードに遷移する旨の指示信号を、ネットワークＩ／Ｆ２０３を介し、複合機１００に送信する(ステップＳ２０１)。
【００７１】
この際、複合機１００は、ネットワークＩ／Ｆ１１４を介して斯かる指示信号を受信し、省電力モードへ遷移する旨のステータス信号を制御装置２００に送信する(ステップＳ１０１)。
【００７２】
複合機１００からの前記ステータス信号の受信如何に基づき、制御装置２００の制御部２０１は省電力モードへの遷移可否を判定する(ステップＳ２０２)。すなわち、制御部２０１は、複合機１００から前記ステータス信号を受信した場合、自装置の省電力モードへの遷移が可能であると判定し、複合機１００から前記ステータス信号を受信していない場合、自装置の省電力モードへの遷移が不可能であると判定する。
【００７３】
制御部２０１は、省電力モードへの遷移が不可能であると判定した場合(ステップＳ２０２：ＮＯ)、前記ステータス信号を受信するまで、斯かる判定を繰り返して行なう。
【００７４】
一方、制御部２０１は、省電力モードへの遷移が可能であると判定した場合(ステップＳ２０２：ＹＥＳ)、ＬＡＮケーブルＢを介して、これから省電力モードに遷移する旨の通知信号を送信する(ステップＳ２０３)。以降、制御装置２００は省電力モードに遷移する(ステップＳ２０４)。
【００７５】
この際、複合機１００においては、電源切替部１２３が、表示パネル１３０及び切替部１２０に電力の供給を行なう供給源を内部電源１４０から制御装置２００の電源２０５に切り替える(ステップＳ１０２)。次いで、複合機１００は、省電力モードへの遷移を開始する(ステップＳ１０３)。例えば、画像読取部１５０、画像形成部１６０などへの電源の供給が制限される。
【００７６】
このとき、切替部１２０はハードキー１３１のＬＥＤを点滅させる旨の信号をハードキー１３１に送信し、ハードキー１３１（ＬＥＤ）の点滅が開始される(ステップＳ１０４)。
【００７７】
また、切替部１２０は、液晶部１３３への画像信号の送信を停止し(ステップＳ１０５)、液晶部１３３に内装されたバックライトを消灯する旨の信号を送信する。これによって、液晶部１３３の画面（バックライト）は消灯される(ステップＳ１０６)。
【００７８】
このように複合機１００の液晶部１３３が消灯していても、上述したように、ハードキー１３１が点滅しているので、ユーザが複合機１００を故障しているとして誤認することを防ぐとともに、複合機１００が省電力モードにあることを認識することができる。
【００７９】
また、制御装置２００に接続されている他の装置のためにも、待機モードを維持する必要のある制御装置２００から電源が供給されるので、複合機１００が省電力モード又は電源オフである場合においても、表示パネル１３０の共有ができると共に、複合機１００における消費電力の低減を図ることができる。
【００８０】
なお、本発明の実施の形態１に係る表示システム１は、以上の記載に限るものでない。例えば、制御装置２００に課金装置が更に接続されている場合には、ステップＳ２０１にて、複合機１００に省電力モードへの遷移を指示する際、前記課金装置にも該指示を行なうように構成しても良い。
【００８１】
図３は本発明の実施の形態１に係る表示システム１における、待機モードへの復帰を説明するフローチャートである。上述したように、複合機１００及び制御装置２００が消費電力モードである場合においても接続先切替部１２２が表示パネル１３０を制御装置２００に接続しており、制御装置２００が表示パネル１３０を制御している。
【００８２】
例えば、複合機１００が省電力モードである場合、ユーザが表示パネル１３０の前記タッチパネル又はハードキー１３１を押下したとき、ユーザの操作によって前記タッチパネル又はハードキー１３１からパルス信号が発生する。従って、複合機１００の切替部１２０は、前記パルス信号に基づいて、ユーザによる前記タッチパネル又はハードキー１３１の操作を検知することができる。以下においては、ユーザがハードキー１３１を押下する操作を行なう場合を例として説明する。
【００８３】
切替部１２０は前記パルス信号の発生を監視することによって、ユーザがハードキー１３１を操作したか否かを判定する(ステップＳ３０１)。切替部１２０は、ユーザがハードキー１３１を操作していないと判定した場合(ステップＳ３０１：ＮＯ)、ユーザがハードキー１３１を操作するまで斯かる判定を繰り返す。
【００８４】
また、切替部１２０は、ユーザがハードキー１３１を操作したと判定した場合(ステップＳ３０１：ＹＥＳ)、ハードキー１３１が操作された旨を、専用信号線Ａを介して、制御装置２００の制御部２０１に通知する(ステップＳ３０２)。以降、切替部１２０はハードキー１３１のＬＥＤを点灯する旨の信号をハードキー１３１に送信し、ハードキー１３１（ＬＥＤ）の点灯が開始される(ステップＳ３０３)。
【００８５】
一方、制御装置２００の制御部２０１は、専用Ｉ／Ｆアダプタ２０４を監視することにより、ハードキー１３１が操作された旨の通知を受信したか否かを判定する(ステップＳ４０１)。
【００８６】
制御部２０１はハードキー１３１が操作された旨の通知を受信していないと判定した場合(ステップＳ４０１：ＮＯ)、該通知を受信するまで斯かる判定を繰り返して行なう。一方、制御部２０１はハードキー１３１が操作された旨の通知を受信したと判定した場合(ステップＳ４０１：ＹＥＳ)、省電力モードから待機モードへの復帰を開始する(ステップＳ４０２)。
【００８７】
次いで、制御部２０１は、記憶部２０２に記憶されている、液晶部１３３に表示すべき画像（例えば、初期画面）に係る画像データを読み出し、これを複合機１００に送信する(ステップＳ４０３)。
【００８８】
また、制御部２０１は、専用信号線Ａを介して、液晶部１３３（バックライト）を点灯する旨の指示信号を複合機１００に送信する(ステップＳ４０４)。更に、制御部２０１は、ＬＡＮケーブルＢを介して、省電力モードから待機モードに復帰する旨の指示信号を複合機１００に送信する(ステップＳ４０５)。
【００８９】
複合機１００の制御部１１０は斯かる指示信号を受信した場合、該指示信号に応じて省電力モードから待機モードへの復帰を開始する(ステップＳ３０４)。
【００９０】
また、電源切替部１２３は、表示パネル１３０及び切替部１２０に電力の供給を行なう供給源を制御装置２００の電源２０５から内部電源１４０に切り替える(ステップＳ３０５)。次いで、内部電源１４０からの電力が供給されることにより、液晶部１３３（バックライト）が点灯される(ステップＳ３０６)。
【００９１】
以上のような処理により、省電力モードから待機モードへの復帰が完了した場合、制御部１１０はＬＡＮケーブルＢを介して待機モードへの復帰が完了した旨を通知する(ステップＳ３０７)。以降、液晶部１３３には所定画像（例えば、初期画面）の表示が行なわれる(ステップＳ３０８)。
【００９２】
この際、制御装置２００においては、待機モードへの復帰が完了した旨の通知を複合機１００から受信したか否かに基づき、制御部２０１が複合機１００における待機モードへの復帰が完了したか否かを判定する(ステップＳ４０６)。
【００９３】
制御部２０１は複合機１００における待機モードへの復帰が完了していないと判定した場合(ステップＳ４０６：ＮＯ)、待機モードへの復帰が完了した旨の通知を複合機１００から受信するまで、斯かる判定を繰り返す。
【００９４】
一方、制御部２０１は複合機１００における待機モードへの復帰が完了したと判定した場合(ステップＳ４０６：ＹＥＳ)、表示パネル１３０を介してユーザから所定の指示を受け付けるまで待機する(ステップＳ４０７)。
【００９５】
なお、本発明の実施の形態１に係る表示システム１は、以上の記載に限るものでない。例えば、制御装置２００に課金装置が更に接続されている場合には、ステップＳ４０５にて、複合機１００に省電力モードから待機モードへの復帰を指示する際、前記課金装置にも該指示を行ない、複合機１００及び該課金装置からの復帰完了通知を待ってから待機モードに入るように構成しても良い。
【００９６】
（実施の形態２）
図４は本発明の実施の形態２に係る表示システム１における、省電力モードへの遷移を説明するフローチャートである。実施の形態１と同様に、接続先切替部１２２が表示パネル１３０を制御装置２００に接続しており、制御装置２００が優先的に表示パネル１３０を制御しているものとする。
【００９７】
制御装置２００の制御部２０１は、タッチパネル部１３２又はハードキー１３１からの信号に基づき、所定の時間ジョブを受け付けていないと判定した場合、省電力モードに遷移する旨の指示信号を、ネットワークＩ／Ｆ２０３を介し、複合機１００に送信する(ステップＳ６０１)。
【００９８】
この際、複合機１００は、ネットワークＩ／Ｆ１１４を介して斯かる指示信号を受信し、省電力モードへ遷移する旨のステータス信号を制御装置２００に送信する(ステップＳ５０１)。
【００９９】
複合機１００からの前記ステータス信号の受信如何に基づき、制御装置２００の制御部２０１は省電力モードへの遷移可否を判定する(ステップＳ６０２)。制御部２０１は、省電力モードへの遷移が不可能であると判定した場合(ステップＳ６０２：ＮＯ)、前記ステータス信号を受信するまで、斯かる判定を繰り返して行なう。
【０１００】
一方、制御部２０１は、省電力モードへの遷移が可能であると判定した場合(ステップＳ６０２：ＹＥＳ)、ＬＡＮケーブルＢを介して、これから省電力モードに遷移する旨の通知信号を送信する(ステップＳ６０３)。以降、制御装置２００は省電力モードに遷移する(ステップＳ６０４)。
【０１０１】
この際、複合機１００においては、電源切替部１２３が、表示パネル１３０及び切替部１２０に電力の供給を行なう供給源を内部電源１４０から制御装置２００の電源２０５に切り替える(ステップＳ５０２)。次いで、複合機１００は、省電力モードへの遷移を開始する(ステップＳ５０３)。
【０１０２】
このとき、切替部１２０はハードキー１３１のＬＥＤを点滅させる旨の信号をハードキー１３１に送信し、ハードキー１３１（ＬＥＤ）の点滅が開始される(ステップＳ５０４)。
【０１０３】
また、切替部１２０は、液晶部１３３への画像信号の送信を停止し(ステップＳ５０５)、液晶部１３３に内装されたバックライトの輝度を２０％まで低減する旨の信号を送信する。これによって、液晶部１３３の画面（バックライト）の輝度が低下される(ステップＳ５０６)。
【０１０４】
例えば、複合機１００が待機モードである場合における、液晶部１３３（バックライト）の輝度を１００％デューティーとした場合、斯かる際、切替部１２０は、液晶部１３３の輝度を２０％デューティーまで低下させ、消費電力を抑える。この際、液晶部１３３は、輝度が低下しているものの、ユーザによる画像の視認が可能な状態である。従って、装置が省電力モードに遷移することによって、液晶部１３３が消灯された場合、これを装置の故障として誤認されることを防ぐことができる。
【０１０５】
図５は本発明の実施の形態２に係る表示システム１における、待機モードへの復帰を説明するフローチャートである。実施の形態１と同様に、複合機１００及び制御装置２００が消費電力モードである場合においても接続先切替部１２２が表示パネル１３０を制御装置２００に接続して制御装置２００が表示パネル１３０を制御しており、ユーザがハードキー１３１を押下する操作を行なう場合を例として説明する。
【０１０６】
切替部１２０はハードキー１３１からのパルス信号の発生を監視することによって、ユーザがハードキー１３１を操作したか否かを判定する(ステップＳ７０１)。切替部１２０は、ユーザがハードキー１３１を操作していないと判定した場合(ステップＳ７０１：ＮＯ)、ユーザがハードキー１３１を操作するまで斯かる判定を繰り返す。
【０１０７】
また、切替部１２０は、ユーザがハードキー１３１を操作したと判定した場合(ステップＳ７０１：ＹＥＳ)、ハードキー１３１が操作された旨を、専用信号線Ａを介して、制御装置２００の制御部２０１に通知する(ステップＳ７０２)。以降、切替部１２０はハードキー１３１のＬＥＤを点灯する旨の信号をハードキー１３１に送信し、ハードキー１３１（ＬＥＤ）の点灯が開始される(ステップＳ７０３)。
【０１０８】
一方、制御装置２００の制御部２０１は、専用Ｉ／Ｆアダプタ２０４を監視することにより、ハードキー１３１が操作された旨の通知を受信したか否かを判定する(ステップＳ８０１)。
【０１０９】
制御部２０１はハードキー１３１が操作された旨の通知を受信していないと判定した場合(ステップＳ８０１：ＮＯ)、該通知を受信するまで斯かる判定を繰り返して行なう。一方、制御部２０１はハードキー１３１が操作された旨の通知を受信したと判定した場合(ステップＳ８０１：ＹＥＳ)、省電力モードから待機モードへの復帰を開始する(ステップＳ８０２)。
【０１１０】
次いで、制御部２０１は、液晶部１３３の輝度を１００％まで増加する旨の指示信号を複合機１００に送信する(ステップＳ８０３)。また、制御部２０１は、専用信号線Ａを介して、液晶部１３３（バックライト）を点灯する旨の指示信号を複合機１００に送信する(ステップＳ８０４)と共に、ＬＡＮケーブルＢを介して、省電力モードから待機モードに復帰する旨の指示信号を複合機１００に送信する(ステップＳ８０５)。
【０１１１】
複合機１００の制御部１１０は斯かる指示信号を受信した場合、該指示信号に応じて省電力モードから待機モードへの復帰を開始する(ステップＳ７０４)。
【０１１２】
また、電源切替部１２３は、表示パネル１３０及び切替部１２０に電力の供給を行なう供給源を制御装置２００の電源２０５から内部電源１４０に切り替える(ステップＳ７０５)。次いで、内部電源１４０からの電力が供給されることにより、液晶部１３３（バックライト）の輝度が１００％まで増加される(ステップＳ７０６)。
【０１１３】
以上のような処理により、省電力モードから待機モードへの復帰が完了した場合、制御部１１０はＬＡＮケーブルＢを介して待機モードへの復帰が完了した旨を通知する(ステップＳ７０７)。以降、液晶部１３３では輝度１００％にて所定画像の表示が続行される(ステップＳ７０８)。
【０１１４】
この際、制御装置２００におけるステップＳ８０６及びステップＳ８０７の処理は、実施の形態１におけるステップＳ４０６及びステップＳ４０７の処理と同様であり、詳しい説明を省略する。
【０１１５】
実施の形態１と同様の部分については、同一の符号を付して詳細な説明を省略する。
【符号の説明】
【０１１６】
１６０  画像形成部  （機能実行部、画像形成手段）
１５０  画像読取部  （機能実行部）
２０１  制御部  （遷移指示部、復帰指示手段）
１２３  電源切替部
１２０  切替部
１３２  タッチパネル部（指示受付手段）
１３１  ハードキー（指示受付手段）
１２２  接続先切替部（接続切替部）
１３３  液晶部（表示部）
１００  複合機（第２装置）
２００  制御装置（第１装置）
１  表示システム
【図１】
0006014361.tif 000002
【図２】
0006014361.tif 000003
【図３】
0006014361.tif 000004
【図４】
0006014361.tif 000005
【図５】
0006014361.tif 000006